【手続補正書】
【提出日】平成29年10月27日(2017.10.27)
【手続補正１】
【補正対象書類名】明細書
【補正対象項目名】００１３
【補正方法】変更
【補正の内容】
【００１３】
上記目的を達成するために第１発明に係る回転ドラム型磁気分離装置は、複数の磁石を配置した第１の回転ドラムを備え、使用済みクーラント液中の磁性体を分離する回転ドラム型磁気分離装置において、複数の磁石を配置した第２の回転ドラムを、前記第１の回転ドラムよりも使用済みクーラント液が流入してくる手前側に備え、前記第２の回転ドラムが使用済みクーラント液中の磁性体を磁化することで、該磁性体を互いに吸着させて大きくするとともに、前記第２の回転ドラムに付着した磁性体を掻き取るスクレパーと、前記第１の回転ドラム下部の流路を形成する底部材とを備え、前記スクレパーにより掻き取られた磁性体が大きくなった状態のまま、前記使用済みクーラント液の流れに沿って前記第１の回転ドラムへ誘導されることを特徴とする。
【手続補正２】
【補正対象書類名】明細書
【補正対象項目名】００１４
【補正方法】変更
【補正の内容】
【００１４】
第１発明では、複数の磁石を配置した第２の回転ドラムを、第１の回転ドラムよりも使用済みクーラント液が流入してくる手前側に備え、第２の回転ドラムが使用済みクーラント液中の磁性体を磁化することで、該磁性体を互いに吸着させて大きくするとともに、第２の回転ドラムに付着した磁性体を掻き取るスクレパーと、第１の回転ドラム下部の流路を形成する底部材とを備え、スクレパーにより掻き取られた磁性体が大きくなった状態のまま、使用済みクーラント液の流れに沿って第１の回転ドラムへ誘導される。これにより、第２の回転ドラムにおいて吸着された磁性体が磁化されることにより互いに引き寄せあい、細かい粒子が集まることで１粒あたりの大きさが大きくなる。したがって、磁性体が大きな粒子となった状態のまま第１の回転ドラムへと誘導されるので、第１の回転ドラムにより確実に磁性体を回収することができ、クーラント液の清浄度をより向上させることが可能となる。
【手続補正３】
【補正対象書類名】明細書
【補正対象項目名】００１６
【補正方法】変更
【補正の内容】
【００１６】
第２発明では、第２の回転ドラムは、外筒と内筒とで構成されており、外筒は固定されており、複数の磁石が配置された内筒は、外筒の内側を回転することができるので、第１の回転ドラムにより確実に磁性体を回収することができ、クーラント液の清浄度をより向上させることが可能となる。
【手続補正４】
【補正対象書類名】明細書
【補正対象項目名】００１８
【補正方法】変更
【補正の内容】
【００１８】
第３発明では、第２の回転ドラムは、外筒と内筒とで構成されており、複数の磁石が配置された内筒は固定されており、外筒は、内筒の外側を回転することができるよう構成されているので、第１の回転ドラムにより確実に磁性体を回収することができ、クーラント液の清浄度をより向上させることが可能となる。
【手続補正５】
【補正対象書類名】明細書
【補正対象項目名】００２０
【補正方法】変更
【補正の内容】
【００２０】
第４発明では、第２の回転ドラムは、外筒と内筒とで構成されており、複数の磁石が配置された内筒と外筒とは、互いに回転することができるよう構成されているので、第１の回転ドラムにより確実に磁性体を回収することができ、クーラント液の清浄度をより向上させることが可能となる。
【手続補正６】
【補正対象書類名】明細書
【補正対象項目名】００２２
【補正方法】変更
【補正の内容】
【００２２】
第５発明では、スクレパーは、第２の回転ドラム側から第１の回転ドラム側に向かって下降するよう傾斜しているので、第２の回転ドラムの周面で互いに引き寄せあって（吸着させて）大きくなった磁性体を第２の回転ドラムから分離しやすく、大きくなった状態のまま確実に第１の回転ドラムへと誘導することが可能となる。
【手続補正７】
【補正対象書類名】明細書
【補正対象項目名】００２４
【補正方法】変更
【補正の内容】
【００２４】
第６発明では、第２の回転ドラムは、磁力が周囲と比較して強い強磁部分と、磁力が周囲と比較して弱い弱磁部分とを有するので、強磁部分で磁着させた磁性体を弱磁部分で剥離させることができ、第１の回転ドラムへ１粒あたりの大きさが大きくなった磁性体をより確実に誘導することが可能となる。
【手続補正８】
【補正対象書類名】明細書
【補正対象項目名】００２６
【補正方法】変更
【補正の内容】
【００２６】
第７発明では、第２の回転ドラムの内筒は、極性の異なる２つの磁石を一組とし、複数組の磁石が装着されているので、隣接する二組の磁石の極性を逆にする等、配列を工夫することにより、より強い強磁部分、あるいはより弱い弱磁部分を形成することができ、第１の回転ドラムへ１粒あたりの大きさが大きくなった磁性体をより確実に誘導することが可能となる。
【手続補正９】
【補正対象書類名】明細書
【補正対象項目名】００２８
【補正方法】変更
【補正の内容】
【００２８】
第８発明では、第２の回転ドラムの内筒に装着された一組の磁石は、一方の磁石の厚みの方が他方の磁石の厚みよりも厚くなるよう構成されているので、より強い強磁部分、あるいはより弱い弱磁部分を形成することができ、第１の回転ドラムへ１粒あたりの大きさが大きくなった磁性体をより確実に誘導することが可能となる。
【手続補正１０】
【補正対象書類名】明細書
【補正対象項目名】００３０
【補正方法】変更
【補正の内容】
【００３０】
第９発明では、第２の回転ドラムの内筒に偶数組の磁石が装着された場合、互いに隣接する一組の磁石は、極性が逆になるよう構成することにより、各組の磁石間に磁力の比較的弱い弱磁部分を確実に形成することができ、第１の回転ドラムへ１粒あたりの大きさが大きくなった磁性体をより確実に誘導することが可能となる。
【手続補正１１】
【補正対象書類名】明細書
【補正対象項目名】００３１
【補正方法】変更
【補正の内容】
【００３１】
本発明によれば、第２の回転ドラムにおいて吸着された磁性体が磁化されることにより互いに引き寄せあい、細かい粒子が集まることで１粒あたりの大きさが大きくなる。したがって、磁性体が大きな粒子となった状態のまま第１の回転ドラムへと誘導されるので、第１の回転ドラムにより確実に磁性体を回収することができ、クーラント液の清浄度をより向上させることが可能となる。
【手続補正１２】
【補正対象書類名】特許請求の範囲
【補正対象項目名】全文
【補正方法】変更
【補正の内容】
【特許請求の範囲】
【請求項１】
複数の磁石を配置した第１の回転ドラムを備え、使用済みクーラント液中の磁性体を分離する回転ドラム型磁気分離装置において、
複数の磁石を配置した第２の回転ドラムを、前記第１の回転ドラムよりも使用済みクーラント液が流入してくる手前側に備え、
前記第２の回転ドラムが使用済みクーラント液中の磁性体を磁化することで、該磁性体を互いに吸着させて大きくするとともに、
前記第２の回転ドラムに付着した磁性体を掻き取るスクレパーと、
前記第１の回転ドラム下部の流路を形成する底部材とを備え、
前記スクレパーにより掻き取られた磁性体が大きくなった状態のまま、前記使用済みクーラント液の流れに沿って前記第１の回転ドラムへ誘導されることを特徴とする回転ドラム型磁気分離装置。
【請求項２】
前記第２の回転ドラムは、外筒と内筒とで構成されており、
前記外筒は固定されており、複数の磁石が配置された前記内筒は、前記外筒の内側を回転することができるよう構成されていることを特徴とする請求項１に記載の回転ドラム型磁気分離装置。
【請求項３】
前記第２の回転ドラムは、外筒と内筒とで構成されており、
複数の磁石が配置された前記内筒は固定されており、前記外筒は、前記内筒の外側を回転することができるよう構成されていることを特徴とする請求項１に記載の回転ドラム型磁気分離装置。
【請求項４】
前記第２の回転ドラムは、外筒と内筒とで構成されており、
複数の磁石が配置された前記内筒と前記外筒とは、互いに回転することができるよう構成されていることを特徴とする請求項１に記載の回転ドラム型磁気分離装置。
【請求項５】
前記スクレパーは、前記第２の回転ドラム側から前記第１の回転ドラム側に向かって下降するよう傾斜していることを特徴とする請求項２乃至４のいずれか一項に記載の回転ドラム型磁気分離装置。
【請求項６】
前記第２の回転ドラムは、磁力が周囲と比較して強い強磁部分と、磁力が周囲と比較して弱い弱磁部分とを有することを特徴とする請求項２乃至５のいずれか一項に記載の回転ドラム型磁気分離装置。
【請求項７】
前記第２の回転ドラムの前記内筒は、極性の異なる２つの磁石を一組とし、複数組の磁石が装着されていることを特徴とする請求項６に記載の回転ドラム型磁気分離装置。
【請求項８】
前記第２の回転ドラムの前記内筒に装着された一組の磁石は、一方の磁石の厚みの方が他方の磁石の厚みよりも厚くなるよう構成されていることを特徴とする請求項７に記載の回転ドラム型磁気分離装置。
【請求項９】
前記第２の回転ドラムの前記内筒に偶数組の磁石が装着された場合、互いに隣接する一組の磁石は、極性が逆になるよう構成されていることを特徴とする請求項７に記載の回転ドラム型磁気分離装置。